(57)【要約】【課題】一般的な使用者でも直感的に理解しやすく、複数の障害物を簡単に設定できて、快適性を悪化させない空気調和機のリモコン装置を提供すること。【解決手段】本発明の空気調和機のリモコン装置１は、室内を複数のエリアに分割して表示させた表示部２と、前記複数のエリアを選択する選択手段とを備え、前記分割されたエリアを選択することによって、室内に存在する障害物の位置を設定可能とし、使用者が直感的に障害物を設定できるように構成した。【選択図】図１
2012063077.tif 000002
【特許請求の範囲】
【請求項１】
室内を複数のエリアに分割して表示させた表示部と、前記複数のエリアを選択する選択手段とを備え、前記分割されたエリアを選択することによって、室内に存在する障害物の位置を設定可能としたことを特徴とする空気調和機のリモコン装置。
【請求項２】
前記表示部には、前記リモコン装置で運転指示を行なう空気調和機の位置を表示させることを特徴とする請求項１に記載の空気調和機のリモコン装置。
【請求項３】
前記空気調和機の位置を設定可能に構成し、前記空気調和機の選択した位置に応じて、選択できるエリアを変更することを特徴とする請求項２に記載の空気調和機のリモコン装置。
【請求項４】
分割した複数のエリアは近距離エリアと遠距離エリアとで構成されることを特徴とする請求項１から３のいずれか１項に記載の空気調和機のリモコン装置。
【発明の詳細な説明】
【技術分野】
【０００１】
本発明は、快適な空調環境を提供する空気調和機のリモコン装置に関するものである。
【背景技術】
【０００２】
従来から提案されている、この種の空気調和機のリモコン装置は、図２１に示すように予め部屋の寸法や基準面からの室内機の据付位置や障害物の位置を測っておいて、それらの各種寸法をリモコンにより入力することにより障害物の快適影響度を考慮し、上下風向を調整するというものである（例えば、特許文献１参照）。
【先行技術文献】
【特許文献】
【０００３】
【特許文献１】特開平６−２９２２号公報
【発明の概要】
【発明が解決しようとする課題】
【０００４】
しかしながら、前記従来の技術では、基準面からの室内機の据付位置や障害物の相対位置といった複雑で多くの寸法を予め測っておく必要があり手間がかかり、また相対的な寸法も一般的な使用者には理解しがたいものである。
【０００５】
本発明は、前記従来の課題を解決するもので、一般的な使用者でも直感的に理解しやすく、複数の障害物を簡単に設定できて、快適性を悪化させない空気調和機のリモコン装置を提供することを目的としている。
【課題を解決するための手段】
【０００６】
前記従来の課題を解決するために本発明の空気調和機のリモコン装置は、室内を複数のエリアに分割して表示させた表示部と、前記複数のエリアを選択する選択手段とを備え、前記分割されたエリアを選択することによって、室内に存在する障害物の位置を設定可能としたことにより、使用者が視覚的に室内に存在する障害物を設定できるので、直感的に使用者が理解しやすい。
【発明の効果】
【０００７】
本発明の空気調和機は、一般的な使用者でも直感的に理解しやすく、複数の障害物を簡単に設定できて、快適性を悪化させないようにすることができる。
【図面の簡単な説明】
【０００８】
【図１】（ａ）〜（ｂ）本発明の実施の形態１におけるリモコン装置の正面図
【図２】表示部の標準表示画面の正面図
【図３】（ａ）〜（ｆ）同実施の形態１における空気調和機の設置設定画面の状態図
【図４】同実施の形態１における家具位置設定エリアの分割図
【図５】同実施の形態１における「中央設置」時の家具位置設定エリアの分割図
【図６】（ａ）〜（ｃ）同実施の形態１における家具位置設定画面の遷移図
【図７】（ａ）〜（ｈ）同実施の形態１における家具位置設定画面の遷移図
【図８】（ａ）〜（ｂ）同実施の形態１における家具位置設定画面の遷移図
【図９】（ａ）〜（ｈ）同実施の形態１における家具位置設定画面の遷移図
【図１０】同実施の形態１における「左設置」時の家具位置設定エリアの分割図
【図１１】（ａ）〜（ｃ）同実施の形態１における家具位置設定画面の遷移図
【図１２】（ａ）〜（ｄ）同実施の形態１における家具位置設定画面の遷移図
【図１３】（ａ）〜（ｂ）同実施の形態１における家具位置設定画面の遷移図
【図１４】（ａ）〜（ｈ）同実施の形態１における家具位置設定画面の遷移図
【図１５】同実施の形態１における「右設置」時の家具位置設定エリアの分割図
【図１６】（ａ）〜（ｃ）同実施の形態１における家具位置設定画面の遷移図
【図１７】（ａ）〜（ｄ）同実施の形態１における家具位置設定画面の遷移図
【図１８】（ａ）〜（ｂ）同実施の形態１における家具位置設定画面の遷移図
【図１９】（ａ）〜（ｈ）同実施の形態１における家具位置設定画面の遷移図
【図２０】同実施の形態１における室内ユニットの斜視図
【図２１】従来の障害物設定時の説明図
【発明を実施するための形態】
【０００９】
第１の発明の空気調和機のリモコン装置は、室内を複数のエリアに分割して表示させた表示部と、前記複数のエリアを選択する選択手段とを備え、前記分割されたエリアを選択することによって、室内に存在する障害物の位置を設定可能としたことにより、使用者が視覚的に室内に存在する障害物を設定できるので、直感的に使用者が理解しやすい。
【００１０】
第２の発明の空気調和機のリモコン装置は、特に第１の発明において、表示部には、リモコン装置で運転指示を行なう空気調和機の位置を表示させることにより、空気調和機と障害物との位置関係を相対的に理解しやすくなる。
【００１１】
第３の発明の空気調和機のリモコン装置は、特に第２の発明において、空気調和機の位置を設定可能に構成し、空気調和機の選択した位置に応じて、選択できるエリアを変更することにより、空気調和機の設置位置に応じて風向が届く範囲のみ設定することが出来るようにしておくことで、使用者が空調エリアを直感的に理解することができる。
【００１２】
第４の発明の空気調和機のリモコン装置は、特に第１から第３の発明において、分割した複数のエリアは近距離エリアと遠距離エリアとで構成されることにより、空気調和機からの距離に応じても障害物を設定することができ、自由度が向上する。
【００１３】
以下、本発明の実施の形態について、図面を参照しながら説明する。なお、この実施の形態によって本発明が限定されるものではない。
【００１４】
（実施の形態１）
図１は本発明の実施の形態１における空気調和機のリモコン装置の正面図である。図１（ａ）に示すように、通常は下側をカバーで覆っており、そのカバーをあけると図１（ｂ）に示すような構成となっている。
【００１５】
図１に示すように、本実施の形態のリモコン装置１は、各種情報（温度や時刻など）を表示する表示部２と、運転指示を行なう操作部３で構成されている。そして操作部３の一つに設けられているメニューボタン４を押下することによって、表示部２に表示されている内容が変更され、各種設定可能となる。
【００１６】
まず、空気調和機の設置位置設定について説明する。図２は表示部２の標準表示図である。図２に示すように何も操作を行わないときには温度情報などが表示されている。
【００１７】
図２に示すような状態からメニューボタン４を押下、もしくは何度か押下すると、図３（ａ）に示すような空気調和機の設置位置を設定する設定画面が表示される。そして操作部３の一つに「もどるボタン５」と「すすむボタン６」と「予約ボタン７」が設けられており、本実施の形態では表示を戻す際に「もどるボタン５」を用い、表示を進める際に「すすむボタン６」を用い、決定時に「予約ボタン７」を用いる。なお、本実施の形態に限
定されることはなく、同じ機能を他のボタンに振り当てても問題はない。また、本発明における選択手段とは、操作部３を構成するボタン類の一部を指す。
【００１８】
空気調和機の設置位置を設定する設定画面では、空気調和機が室内のどの辺りに設置されているのかを設定する。右側が壁となるように設置されている場合は右設置を選択し、左側が壁となるように設置されている場合は左設置を選択し、右側及び左側のいずれにも壁が無い場合は中央設置を選択する。これらの設置位置選択の流れを図３を用いて説明する。
【００１９】
図２に示す標準表示画面から、メニューボタン４を押下すると、図３（ａ）に示す設置位置を設定する設定画面が表示される。図３（ａ）には、「中央」と表示されているように、「中央設置」に設定したい場合は図３（ａ）のような画面で決定ボタンである「予約ボタン７」を押下する。そうすると、図３（ｄ）のような画面となり、表示部２の一部に送信マーク８が表示され、空気調和機の設置位置設定が終了する。この送信マーク８を表示することによって使用者に設定が正常に行なわれたということを知らせることができる。
【００２０】
また、図３（ａ）のような設定画面において、「右設置」もしくは「左設置」である場合は、画面を次へ進ませる「すすむボタン６」を押下する。その結果「左」と表示される図３（ｂ）に示す画面となる。そして「左設置」に設定したい場合は、図３（ｂ）に示す画面において決定ボタンである「予約ボタン７」を押下する。そうすると、図３（ｅ）のような画面となり、表示部２の一部に送信マークが表示されて、空気調和機の設置位置設定が終了する。ここで誤って「すすむボタン６」を押下してしまった場合は、「もどるボタン５」を押下することによって、図３（ａ）に示す「中央設置」画面へと戻ることができる。
【００２１】
また、図３（ｂ）のような設定画面において「右設置」の設定に進む場合は、「すすむボタン６」を押下する。その結果「右」と表示される図３（ｃ）に示す画面となる。そして「右設置」に設定したい場合は、図３（ｃ）に示す画面において決定ボタンである「予約ボタン７」を押下する。そうすると、図３（ｆ）のような画面となり、表示部２の一部に送信マークが表示されて、空気調和機の設置位置設定が終了する。
【００２２】
そして、図３（ｄ）、図３（ｅ）、図３（ｆ）のような表示後、所定時間が経過すると、図２に示すような標準表示画面へと戻る。
【００２３】
次に、図４を用いて、本実施の形態におけるエリアの考え方について説明する。
【００２４】
本実施の形態において、障害物（家具等）の設定を行なうことが出来るエリアを８つ設けており、空気調和機の室内ユニット１０を中心とし、空気調和機の室内ユニット１０から近いエリアを近距離エリアとし、遠いエリアを遠距離エリアとしている。
【００２５】
そして、近距離エリアには障害物が設定できるエリアを左右方向に３つ、遠距離エリアには障害物が設定できるエリアを左右方向に５つ設けている。そして一つのエリアを約２メートル四方のエリアとしている。
【００２６】
なお、近距離エリアでは遠距離エリアに比べて左右方向に狭いエリアしか設定できないようにしている。これは、近距離エリアの左右両端部は、家具位置を設定したとしても風向がそちらの方向へ向かないために、使用者が、風向制御の可能なエリアと家具位置との対応関係が把握しやすいように、近距離エリアの左右両端部は家具位置を設定できないようにしている。また、１つのエリアを約２メートル四方としたが、これに限定されること
はない。
【００２７】
次に、家具位置の設定について説明する。図５は、空気調和機の設置位置を「中央設置」とした場合の家具位置を設定可能なエリアを示した図、図６は「中央設置」とした場合の家具位置設定画面の遷移図である。図５に示すように「中央設置」とした場合には、点線１１内の６エリア（エリア０、エリア１、エリア２、エリア４、エリア５、エリア６）について家具位置設定が可能である。
【００２８】
そして空気調和機の設置位置を設定後に、再度、メニューボタン４を押下、もしくは何度か押下すると、図６（ａ）に示す家具位置の設定が可能な家具位置設定画面となる。図６（ａ）の状態で「すすむボタン６」を押下すると、図６（ｂ）に示す表示画面となり、まず空気調和機の室内ユニット１０から近距離エリア（エリア０、エリア１、エリア２）から、家具位置を設定する。
【００２９】
図６（ｂ）の画面には「近め」という表示の隣に家具位置設定表示部１２を設けており、図６（ｂ）の状態から「すすむボタン６」もしくは「もどるボタン５」のいずれかを押下することにより、図７（ａ）〜（ｈ）に示すように、家具位置設定表示部１２に示される表示内容が遷移する。つまり、近距離エリアに家具等が設置されている場合は、設置箇所が選択されるようなパターンが表示されるまで「すすむボタン６」もしくは「もどるボタン５」のいずれかを押下して家具位置設定を行なう。
【００３０】
そして図７（ａ）〜（ｈ）のいずれかのパターンを選択後、「予約ボタン７」を押下すると、図６（ｃ）の状態へと遷移し送信マーク８が表示されて近距離エリアの家具位置設定が終了する。なお、図６（ｃ）の状態について説明すると、近距離エリアの家具位置設定は図７（ｂ）に示すパターンが選択されているということを示し、エリア０の位置に家具が存在していることを意味する。
【００３１】
次に、図６（ｃ）にて近距離エリアの家具位置設定が終了すると、図６（ｃ）に示す画面の状態から所定時間経過後（例えば、１秒）に、図８（ａ）に示す状態の画面に遷移する。図８（ａ）の画面には「中央」という表示の隣に家具位置設定表示部１２を設けており、遠距離エリアの家具位置設定を行なう。なお、本実施の形態では「中央」という表現を用いているが、例えば「遠め」「遠く」「遠距離」などの表現を用いても問題はない。
【００３２】
そして、図８（ａ）の状態から「すすむボタン６」もしくは「もどるボタン５」のいずれかを押下することにより、図９（ａ）〜（ｈ）に示すように、家具位置設定表示部１２に示される表示内容が遷移される。つまり、遠距離エリアに家具等が設置されている場合は、設置箇所が選択されるようなパターンが表示されるまで「すすむボタン６」もしくは「もどるボタン５」のいずれかを押下して家具位置設定を行なう。
【００３３】
そして図９（ａ）〜（ｈ）のいずれかのパターンを選択後、「予約ボタン７」を押下すると、図８（ｂ）の状態へと遷移し送信マーク８が表示されて遠距離エリアの家具位置設定が終了する。なお、図８（ｂ）の状態について説明すると、遠距離エリアの家具位置設定は図９（ｅ）に示すパターンが選択されているということを示し、エリア６の位置に家具が存在していることを意味する。
【００３４】
このように、近距離エリアの家具位置設定が８通り存在し、遠距離エリアの家具位置設定が８通り存在するので、６４通りの家具位置設定が可能となっている。
【００３５】
次に、空気調和機の設置位置を「左設置」とした場合の家具位置設定について説明する。図１０は、空気調和機の設置位置を「左設置」とした場合の家具位置を設定可能なエリ
アを示した図である。図１０に示すように「左設置」とした場合には、点線１３内の５エリア（エリア１、エリア２、エリア５、エリア６、エリア７）について家具位置設定が可能である。
【００３６】
そして空気調和機の設置位置を設定後に、再度、メニューボタン４を押下、もしくは何度か押下すると、図１１（ａ）に示す家具位置の設定が可能な家具位置設定画面となる。図１１（ａ）の状態で「すすむボタン６」を押下すると、図１１（ｂ）に示す表示画面となり、まず空気調和機の室内ユニット１０から近距離エリア（エリア１、エリア２）から、家具位置を設定する。
【００３７】
図１１（ｂ）の画面には「近め」という表示の隣に家具位置設定表示部１２を設けており、図１１（ｂ）の状態から「すすむボタン６」もしくは「もどるボタン５」のいずれかを押下することにより、図１２（ａ）〜（ｄ）に示すように、家具位置設定表示部１２に示される表示内容が遷移する。つまり、近距離エリアに家具等が設置されている場合は、設置箇所が選択されるようなパターンが表示されるまで「すすむボタン６」もしくは「もどるボタン５」のいずれかを押下して家具位置設定を行なう。
【００３８】
そして図１２（ａ）〜（ｄ）のいずれかのパターンを選択後、「予約ボタン７」を押下すると、図１１（ｃ）の状態へと遷移し送信マーク８が表示されて近距離エリアの家具位置設定が終了する。なお、図１１（ｃ）の状態について説明すると、近距離エリアの家具位置設定は図１２（ｂ）に示すパターンが選択されているということを示し、エリア１の位置に家具が存在していることを意味する。
【００３９】
次に、図１１（ｃ）にて近距離エリアの家具位置設定が終了すると、図１１（ｃ）に示す画面の状態から所定時間経過後（例えば、１秒）に、図１３（ａ）に示す状態の画面に遷移する。図１３（ａ）の画面には「中央」という表示の隣に家具位置設定表示部１２を設けており、遠距離エリアの家具位置設定を行なう。なお、本実施の形態では「中央」という表現を用いているが、例えば「遠め」「遠く」「遠距離」などの表現を用いても問題はない。
【００４０】
そして、図１３（ａ）の状態から「すすむボタン６」もしくは「もどるボタン５」のいずれかを押下することにより、図１４（ａ）〜（ｈ）に示すように、家具位置設定表示部１２に示される表示内容が遷移される。つまり、遠距離エリアに家具等が設置されている場合は、設置箇所が選択されるようなパターンが表示されるまで「すすむボタン６」もしくは「もどるボタン５」のいずれかを押下して家具位置設定を行なう。
【００４１】
そして図１４（ａ）〜（ｈ）のいずれかのパターンを選択後、「予約ボタン７」を押下すると、図１３（ｂ）の状態へと遷移し送信マーク８が表示されて遠距離エリアの家具位置設定が終了する。なお、図１３（ｂ）の状態について説明すると、遠距離エリアの家具位置設定は図１４（ｅ）に示すパターンが選択されているということを示し、エリア７の位置に家具が存在していることを意味する。
【００４２】
このように、近距離エリアの家具位置設定が４通り存在し、遠距離エリアの家具位置設定が８通り存在するので、３２通りの家具位置設定が可能となっている。
【００４３】
次に、空気調和機の設置位置を「右設置」とした場合の家具位置設定について説明する。図１５は、空気調和機の設置位置を「右設置」とした場合の家具位置を設定可能なエリアを示した図である。図１５に示すように「左設置」とした場合には、点線１４内の５エリア（エリア０、エリア１、エリア３、エリア４、エリア５）について家具位置設定が可能である。
【００４４】
そして空気調和機の設置位置を設定後に、再度、メニューボタン４を押下、もしくは何度か押下すると、図１６（ａ）に示す家具位置の設定が可能な家具位置設定画面となる。図１６（ａ）の状態で「すすむボタン６」を押下すると、図１６（ｂ）に示す表示画面となり、まず空気調和機の室内ユニット１０から近距離エリア（エリア０、エリア１）から、家具位置を設定する。
【００４５】
図１６（ｂ）の画面には「近め」という表示の隣に家具位置設定表示部１２を設けており、図１６（ｂ）の状態から「すすむボタン６」もしくは「もどるボタン５」のいずれかを押下することにより、図１７（ａ）〜（ｄ）に示すように、家具位置設定表示部１２に示される表示内容が遷移する。つまり、近距離エリアに家具等が設置されている場合は、設置箇所が選択されるようなパターンが表示されるまで「すすむボタン６」もしくは「もどるボタン５」のいずれかを押下して家具位置設定を行なう。
【００４６】
そして図１７（ａ）〜（ｄ）のいずれかのパターンを選択後、「予約ボタン７」を押下すると、図１６（ｃ）の状態へと遷移し送信マーク８が表示されて近距離エリアの家具位置設定が終了する。なお、図１６（ｃ）の状態について説明すると、近距離エリアの家具位置設定は図１７（ｃ）に示すパターンが選択されているということを示し、エリア１の位置に家具が存在していることを意味する。
【００４７】
次に、図１６（ｃ）にて近距離エリアの家具位置設定が終了すると、図１６（ｃ）に示す画面の状態から所定時間経過後（例えば、１秒）に、図１８（ａ）に示す状態の画面に遷移する。図１８（ａ）の画面には「中央」という表示の隣に家具位置設定表示部１２を設けており、遠距離エリアの家具位置設定を行なう。なお、本実施の形態では「中央」という表現を用いているが、例えば「遠め」「遠く」「遠距離」などの表現を用いても問題はない。
【００４８】
そして、図１８（ａ）の状態から「すすむボタン６」もしくは「もどるボタン５」のいずれかを押下することにより、図１９（ａ）〜（ｈ）に示すように、家具位置設定表示部１２に示される表示内容が遷移される。つまり、遠距離エリアに家具等が設置されている場合は、設置箇所が選択されるようなパターンが表示されるまで「すすむボタン６」もしくは「もどるボタン５」のいずれかを押下して家具位置設定を行なう。
【００４９】
そして図１９（ａ）〜（ｈ）のいずれかのパターンを選択後、「予約ボタン７」を押下すると、図１８（ｂ）の状態へと遷移し送信マーク８が表示されて遠距離エリアの家具位置設定が終了する。なお、図１８（ｂ）の状態について説明すると、遠距離エリアの家具位置設定は図１９（ｅ）に示すパターンが選択されているということを示し、エリア５の位置に家具が存在していることを意味する。
【００５０】
このように、近距離エリアの家具位置設定が４通り存在し、遠距離エリアの家具位置設定が８通り存在するので、３２通りの家具位置設定が可能となっている。
【００５１】
以上のように、本実施の形態のリモコン装置では、室内にある障害物である家具などの位置を、直感的に設定することができるので、使用者の利便性が向上する。
【００５２】
次に、リモコン装置１で設定された家具位置の状況に基づいた空調制御について説明する。図２０は、空気調和機の室内ユニット１０の斜視図である。図２０に示すように、室内ユニット１０には上下の風向を制御する上下風向変更羽根２１を設けている。また、室内ユニット１０には室内の人体を検知する人体検知センサ（図示せず）が備えられており、検知された人体方向に向けて上下風向変更羽根２１が制御される。
【００５３】
しかしながら、上述したようにリモコン装置１で家具位置を設定した場合、設定した家具位置と検知した人体の位置とが同一方向となる可能性がある。
【００５４】
本実施の形態では、設定した家具位置の方向と、検知した人体の方向とが一致する時には、上下風向変更羽根２１の向きを補正して、設定された家具を回避するような風向としている。
【００５５】
より詳しくは家具位置が検知した人体の前側にあると判定された場合は、上下風向変更羽根２１の風向を上側方向に駆動するように補正する。すなわち、前側に配置された家具の上側に風向を逃すように制御される。
【００５６】
また、同一方向に複数の家具が設定された場合は、室内ユニット１０から最も遠い家具を回避するように、上下風向変更羽根２１の向きを補正して、風向を変更している。
【００５７】
以上のように、設定された家具の位置に応じて風向を変更することで、より快適な室内環境を作り出すことができ、温度分布が偏って快適性の悪化を防ぐことができる。
【産業上の利用可能性】
【００５８】
本発明に係るリモコン装置は、一般的な使用者でも直感的に理解しやすく、複数の障害物を簡単に設定できるため、１対１の空気調和機のリモコン装置だけではなく、マルチ型の空気調和機のリモコン装置にも適用することができる。
【符号の説明】
【００５９】
１  リモコン装置
２  表示部
３  操作部
４  メニューボタン
５  もどるボタン
６  すすむボタン
７  予約ボタン
１０  室内ユニット
【図１】
2012063077.tif 000003
【図２】
2012063077.tif 000004
【図３】
2012063077.tif 000005
【図４】
2012063077.tif 000006
【図５】
2012063077.tif 000007
【図６】
2012063077.tif 000008
【図７】
2012063077.tif 000009
【図８】
2012063077.tif 000010
【図９】
2012063077.tif 000011
【図１０】
2012063077.tif 000012
【図１１】
2012063077.tif 000013
【図１２】
2012063077.tif 000014
【図１３】
2012063077.tif 000015
【図１４】
2012063077.tif 000016
【図１５】
2012063077.tif 000017
【図１６】
2012063077.tif 000018
【図１７】
2012063077.tif 000019
【図１８】
2012063077.tif 000020
【図１９】
2012063077.tif 000021
【図２０】
2012063077.tif 000022
【図２１】
2012063077.tif 000023